(57)【要約】【課題】遊技盤又は各制御装置（各制御ユニット）の点検、清掃、整備を容易かつ安全に実施する。【解決手段】遊技機前面ユニット２３の裏面において、遊技盤６１を遊技機前面ユニット２３の裏面位置と、遊技機前面ユニット２３の外部に張り出す位置との間を略水平方向へスライド移動するように遊技盤６１を支持する遊技盤スライド枠２１０１と、遊技機前面ユニット２３に対して、遊技盤スライド枠２１０１が水平方向へ回動するように、遊技機前面ユニット２３と遊技盤スライド枠２１０１に介在させたヒンジ部材２１０８と、を備えた。【選択図】図１０
2020114458.tif 000002
【特許請求の範囲】
【請求項１】
遊技機前面ユニットの裏面において、遊技盤を、該遊技機前面ユニットの裏面位置と、
該遊技機前面ユニットの外部に張り出す位置との間を略水平方向へスライド移動するように支持する遊技盤スライド枠と、
前記遊技機前面ユニットに対して、前記遊技盤スライド枠が水平方向へ回動するように、該遊技機前面ユニットと該遊技盤スライド枠に介在させたヒンジ部材と、を備え、
前記遊技盤スライド枠には、前記遊技盤を略水平方向のスライド途中で停止するようにストッパ部を設けた、ことを特徴とする遊技機。
【発明の詳細な説明】
【技術分野】
【０００１】
本発明は、パチンコ、スロットマシンあるいはメダルの代わりに遊技球でスロットマシンの遊技をするパロット等の遊技機に関する。
【背景技術】
【０００２】
遊技機の一種としてのパチンコ機では、例えば発射装置で発射した遊技球が打ち出される遊技領域を備えた遊技盤が設けられている。遊技盤は、発射装置から発射された遊技球を遊技領域に案内するためのガイドレール（ガイド部材）と一体に形成されている。このような遊技盤は、定期的に点検、清掃、整備する必要がある。この点検、清掃、整備する際に、前面扉、前枠といった遊技機前面ユニットを開放して遊技盤の盤面を露出させる。
【０００３】
パチンコ機は年々複雑化及び多様化が進んでおり、遊技機前面ユニットの前面に膨出している部分が多くなり、遊技機前面ユニットを大きく開閉しづらくなってきた。そのために、遊技盤の点検、清掃、整備に際して、隣接するパチンコ機と干渉して遊技機前面ユニットを大きく開けられないことがあり、遊技盤の左半分が遊技機前面ユニットの裏面に邪魔されて作業がしづらいといった問題があった。
同様に各制御装置（各制御ユニット）も枠材（外枠）が邪魔して点検、清掃、整備がしづらいことがあった。
【０００４】
例えば特許文献１の特開２００９−７７７８４の「パチンコ機」のように、パチンコ機の機種変更などの際に、本体枠から取り外されて仕様の異なるものへと交換される遊技機に関する構成が提案されている。
【先行技術文献】
【特許文献】
【０００５】
【特許文献１】特開２００９−７７７８４公報
【発明の概要】
【発明が解決しようとする課題】
【０００６】
しかし、特許文献１の「パチンコ機」では、遊技機の遊技盤の交換が技術目的であり、簡単な作業により、遊技盤の盤面又は各制御装置（各制御ユニット）を大きく露出させて遊技盤又は各制御装置（各制御ユニット）の点検、清掃、整備することはできないという問題を有していた。
【０００７】
本発明は、上述した問題点等を解決するために創案されたものである。すなわち、本発明の目的は、遊技盤又は各制御装置（各制御ユニット）の点検、清掃、整備を容易かつ安全に実施することができる遊技機を提供することにある。
【課題を解決するための手段】
【０００８】
本発明は、遊技機前面ユニットの裏面において、遊技盤を、該遊技機前面ユニットの裏面位置と、該遊技機前面ユニットの外部に張り出す位置との間を略水平方向へスライド移動するように支持する遊技盤スライド枠と、
前記遊技機前面ユニットに対して、前記遊技盤スライド枠が水平方向へ回動するように、該遊技機前面ユニットと該遊技盤スライド枠に介在させたヒンジ部材と、を備え、
前記遊技盤スライド枠に、前記遊技盤を略水平方向のスライド途中で停止するようにストッパ部を設けた、ことを特徴とする。
【発明の効果】
【０００９】
上記構成では、遊技盤は、遊技機の遊技時には遊技盤スライド枠内において維持される。遊技機の点検、清掃、整備する際に、遊技盤を含む遊技機主部を遊技盤スライド枠から水平方向に引き出すように容易にスライド移動させることができる。遊技機主部を引き出した状態で、ヒンジ部材を回動中心にして遊技盤スライド枠と共に遊技機主部を水平方向に回動させることで、点検、清掃、整備する箇所に合わせて所望の角度に展開させることができる。
【図面の簡単な説明】
【００１０】
【図１】一実施の形態におけるパチンコ機を示す斜視図である。
【図２】パチンコ機の主要な構成を展開して示す斜視図である。
【図３】パチンコ機の構成を示す背面図である。
【図４】遊技機ベースユニットの構成を示す正面図である。
【図５】遊技盤の構成を示す正面図である。
【図６】遊技機ベースユニットの構成を示す背面図である。
【図７】遊技機前面ユニットの構成を示す背面図である。
【図８】裏パックユニットの構成を示す正面図である。
【図９】裏パックユニットの構成を示す分解斜視図である。
【図１０】遊技盤をスライド移動かつ回動可能に支持する遊技盤スライド枠を示す斜視図である。
【図１１】遊技盤スライド枠を遊技機前面ユニットの裏面に取り付ける状態を示す斜視図である。
【図１２】遊技盤と遊技盤スライド枠を示し、（ａ）は全体の平面図、（ｂ）は抜止め部材の拡大平面図である。
【図１３】遊技盤スライド枠を遊技機前面ユニットの裏面に施錠装置により固定した状態を示す斜視図である。
【図１４】遊技盤スライド枠にストッパ部（嵌合孔）を設けた変形例の平面図であり、（ａ）は遊技盤を遊技盤スライド枠の途中で維持している状態、（ｂ）は遊技盤を遊技盤スライド枠の開口まで抜き出した状態である。
【発明を実施するための形態】
【００１１】
以下、本発明の好ましい実施の形態を図面を参照して説明する。
図１は本発明の遊技機すなわちパチンコ機１０の遊技機主部２１と外枠１１とが嵌合した状態を示す斜視図である。図２はパチンコ機１０の主要な構成を展開して示す斜視図である。図３はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。
【００１２】
＜遊技機１０の全体構成＞
外枠１１は、図1及び図３に示すように、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。
【００１３】
上記のように左右の板材１２，１３を金属製とすると共に上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００１４】
外枠１１の左側の板材１２には、その上下の各端部に支持金具１７，１８が取り付けられている。これら支持金具１７，１８に支持させるようにして、図２に示すように、遊技機主部２１が外枠１１に対して回動可能に取り付けられている。本発明は、これら支持金具１７，１８に遊技機主部２１を着脱自在に取り付ける構造になる。
【００１５】
遊技機主部２１は、図２に示すように、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。
【００１６】
遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１７】
遊技機ベースユニット２２は、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。
【００１８】
また、遊技機ベースユニット２２にはシリンダ錠３５（図１参照）が設けられており、シリンダ錠３５の操作によって連動杆３２を上方向又は下方向のうち予め定められた方向に移動させると、外枠１１に対する遊技機ベースユニット２２の施錠状態が解除される。
【００１９】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００２０】
次に、遊技機ベースユニット２２、遊技機前面ユニット２３及び裏パックユニット２４のそれぞれについて詳細に説明する。
＜遊技機ベースユニット２２＞
図４は遊技機ベースユニット２２の正面図である。図５は遊技機ベースユニット２２に搭載された遊技盤６１の正面図である。図６は遊技機ベースユニット２２の背面図である。なお、図４では便宜上パチンコ機１０の遊技領域内の構成を省略している。
先ず、遊技機ベースユニット２２の構成について詳細に説明する。
遊技機ベースユニット２２は、図４に示すように、外形が外枠１１とほぼ同一形状をなす樹脂ベース４１を主体に構成されている。樹脂ベース４１の中央部には略楕円形状の窓孔５１が形成されている。樹脂ベース４１には後述する遊技盤スライド枠２１０１を介在して遊技盤６１が取り付けられている。
【００２１】
図４に示すように、樹脂ベース４１における窓孔５１の下方には、遊技球発射機構８０が取り付けられている。遊技球発射機構８０は、電磁式のソレノイド８１と、発射レール８２と、球送り機構８３とからなり、ソレノイド８１への電気的な信号の入力により当該ソレノイド８１の出力軸が伸縮方向に移動し、球送り機構８３によって発射レール８２上に置かれた遊技球を遊技領域に向けて打ち出す。ソレノイド８１への電気的な信号の入力は、遊技機前面ユニット２３の下部に設けられた遊技球発射ハンドル８４（図１等参照）が操作されることに基づいて発生する。
【００２２】
遊技盤６１は合板より成り、遊技盤６１の前面に形成された遊技領域が樹脂ベース４１の窓孔５１を通じて遊技機ベースユニット２２の前面側に露出した状態となっている。
【００２３】
図５に示すように、遊技盤６１には、ルータ加工が施されることによって前後方向に貫通する大小複数の開口部が形成され、各開口部には一般入賞口６２、可変入賞装置６３、上作動口６４、下作動口６５、スルーゲート６６、可変表示ユニット６７及びアウト口６８等がそれぞれ設けられている。このうち、可変入賞装置６３、上作動口６４、下作動口６５、可変表示ユニット６７及びアウト口６８は、遊技盤６１の左右方向の中央において上下方向に並べて設けられており、上から可変表示ユニット６７、上作動口６４、下作動口６５及びアウト口６８の順となっている。また、一般入賞口６２は、遊技盤６１の下部において、左側に３個及び右側に１個の合計４個設けられている。ちなみに、遊技盤６１の左側は遊技機前面ユニット２３の回動基端側に相当し、遊技盤６１の右側は遊技機前面ユニット２３の回動先端側に相当する。
【００２４】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００２５】
各種入賞口等に入らなかった遊技球は、後述する内レール部７７によって集められ、内レール部７７の最下部に設けられたアウト口６８を通って遊技領域から排出される。その他に、遊技盤６１には、遊技球の落下方向を適宜分散、調整等するために多数の釘６９が植設されていると共に、風車等の各種部材（役物）や内レール部７７および外レール部７８が配設されている。
【００２６】
可変表示ユニット６７は、遊技盤６１の略中央部上方に形成された略円形の開口部に取り付けられる図柄表示装置７１と、開口部の周縁に図柄表示装置７１を囲むようにして配設されたセンターフレーム７２を備えている。
図柄表示装置７１は、液晶ディスプレイを備えた液晶表示装置であり、後述する表示制御装置１０１により、いずれかの作動口６４，６５への入賞をトリガとして図柄を可変表示するように制御されている。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００２７】
また、センターフレーム７２の上部には、第１特定ランプ部７３及び第２特定ランプ部７４が、センターフレーム７２の上部及び下部には保留ランプ部７５，７６がそれぞれ設けられている。下側の保留ランプ部７５は、図柄表示装置７１及び第１特定ランプ部７３に対応しており、遊技球が作動口６４，６５を通過した回数は最大４回まで保留され、保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され、保留ランプ部７６の点灯によってその保留個数が表示されるようになっている。
【００２８】
第１特定ランプ部７３では、上作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００２９】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００３０】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００３１】
遊技盤６１の周縁部分には、略円弧状の内レール部７７と外レール部７８とが取り付けられており、これら内レール部７７と外レール部７８とにより誘導レールが構成され、上述した遊技球発射機構８０から発射された遊技球が遊技領域の上部に案内されるようになっている。また、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００３２】
遊技機ベースユニット２２が遊技機前面ユニット２３を支持する機構について、図４等に基づいて説明する。
遊技機ベースユニット２２の樹脂ベース４１の前面における回動基端側には、その上端部及び下端部に支持金具４２，４３が取り付けられている。これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。
【００３３】
次に、遊技機ベースユニット２２の背面構成について図６を用いて詳細に説明する。
樹脂ベース４１の背面における回動先端側には既に説明した施錠装置３１が設けられている。また、樹脂ベース４１の中央には上記のとおり遊技盤６１が取り付けられている。
【００３４】
遊技盤６１の中央に配置された可変表示ユニット６７（図５参照）には、図６に示すように、センターフレーム７２（図５参照）を後方から覆う合成樹脂製のフレームカバー１００が後方に突出させて設けられており、フレームカバー１００に対して後側から上述した図柄表示装置７１が取り付けられていると共に、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００３５】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００３６】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる第１基板ボックス１０８に収容されて構成されている。なお、当該基板ボックス１０８には、後述するように当該基板ボックスの開放痕跡手段としてかしめ部材や封印シールが設けられていると共に、取付台１０６に対する主制御装置１０７の離脱痕跡手段としてかしめ部材が設けられている。なお、ここで基板ボックス（第１基板ボックス）１０８と称しているが、後述するように基板ボックス１４８，１４９が複数存在するので、それぞれ区別するために便宜的に用いた。その順番以外に何ら意味合いを持つものではない。
【００３７】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００３８】
遊技機ベースユニット２２が裏パックユニット２４を支持する機構について説明する。
樹脂ベース４１の背面における回動基端側（図６の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。遊技機ベースユニット２２には、これら軸受け金具１１１〜１１３に対して軸支させて裏パックユニット２４が取り付けられている。裏パックユニット２４により、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００３９】
樹脂ベース４１の背面には、図６に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図６に示すように、樹脂ベース４１の背面には締結孔部１１６が形成されており、当該締結孔部１１６に対して裏パックユニット２４に設けられた後述する締結具１１７（図８参照）を締結させることによっても裏パックユニット２４が遊技機ベースユニット２２に固定される。
【００４０】
＜遊技機前面ユニット２３＞
遊技機前面ユニット２３の構成について図１に基づいて説明する。
遊技機前面ユニット２３は遊技機ベースユニット２２の前面側全体を覆うようにして設けられている。遊技機前面ユニット２３には、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００４１】
遊技機前面ユニット２３には、窓パネル部９１の下方に、手前側へ膨出した第１膨出部９５と第２膨出部９６とが上下に並設されている。
第１膨出部９５内側には、上方に開口した上皿９５ａが設けられている。上皿９５ａは、第１払出口２３１より払い出された遊技球を一旦貯留し、一列に整列させながら下流側（本実施の形態では右側）の遊技球発射機構８０へ導く機能を有する球受皿である。
【００４２】
第１膨出部９５の上面右側（上皿９５ａの下流側）には、奥側に上皿球抜きスイッチ２３２が、手前側に貸球操作部２３３がそれぞれ配設されている。上皿球抜きスイッチ２３２は、上皿９５ａに貯留された遊技球を排出するために操作されるものである。
【００４３】
貸球操作部２３３には、球貸しボタン２３４と、返却ボタン２３５とが設けられている。球貸しボタン２３４は、カード等（記録媒体）に記録された情報に基づいて貸出球を得るために操作されるものであり、カード等に残額が存在する限りにおいて貸出球が払い出される。返却ボタン２３５は、カードユニットに挿入されたカード等の返却を求める際に操作される。なお、球貸しボタン２３４及び返却ボタン２３５とからなる貸球操作部２３３は、第１膨出部９５の上方にも設けられている。
【００４４】
遊技機１０には遊技者により操作する演出ボタン２３６が設けられている。この演出ボタン２３６は後述するように回動、回転更にプッシュ可能である。演出ボタン２３６には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチ２３６を操作された場合、後述する図柄表示装置７１の表示モードが変更されるようになっている。
【００４５】
第１膨出部９５と同様に、第１膨出部９５の下方に手前側へ膨出するように設けられている第２膨出部９６内側にも、上方に開口した下皿９６ａが設けられている。下皿９６ａは、第２払出口２３７より払い出された遊技球を一旦貯留するための球受皿である。下皿９６ａには、例えば、上皿９５ａにて遊技球が余剰となった場合には、下皿球抜きスイッチ２３３が操作され、上皿９５ａに貯留された遊技球が第２払出口２３７より排出されるようになっている。
【００４６】
第２膨出部９６前面側には、下皿９６ａに貯留された遊技球を下方に排出するための上球抜きスイッチ２３８が設けられている。また、第２膨出部９６の右方には、手前側へ突出するようにして遊技球発射ハンドル８４が設けられている。遊技球発射ハンドル８４は、板材１２の背面側に設けられた遊技球発射機構８０（図４参照）に連結されており、上皿９５ａに貯留された遊技球は、遊技者が遊技球発射ハンドル８４を回転させることにより、遊技盤６１に形成された遊技領域に向けて発射される。
【００４７】
図７は遊技機前面ユニット２３の背面図である。
遊技機前面ユニット２３の背面における回動基端側（図７の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図７の左側）には、上述した鉤金具４４が上下方向に複数並設されている。
【００４８】
また、遊技機前面ユニット２３の背面には、図７に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。
【００４９】
＜裏パックユニット２４＞
裏パックユニット２４の構成について詳細に説明する。
図８は裏パックユニット２４の正面図である。図９は裏パックユニット２４の分解斜視図である。
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００５０】
第１裏パックユニット１２１と第２裏パックユニット１４１には、図８に示すように、それぞれ軸金具１２３，１３９が設けられており、それら軸金具１２３，１３９はそれぞれ個別に遊技機ベースユニット２２の軸受け金具１１１〜１１３（図６参照）に支持されている。これにより、第１裏パックユニット１２１と第２裏パックユニット１４１とは、遊技機ベースユニット２２に対してそれぞれ個別に回動可能となっている。
【００５１】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５２】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５３】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５４】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５５】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５６】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５７】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５８】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００５９】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００６０】
払出制御装置１４６は、第２基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００６１】
電源及び発射制御装置１４７は、第３基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【実施例１】
【００６２】
＜遊技盤スライド枠２１０１の構造＞
以下に実施例１の本発明を説明する。
図１０は遊技盤６１をスライド移動かつ回動可能に支持する遊技盤スライド枠２１０１を示す斜視図である。図１１は遊技盤スライド枠２１０１を遊技機前面ユニット２３の裏面に取り付ける状態を示す斜視図である。なお、この図１０から図１４までは、遊技盤スライド枠２１０１と関係のない遊技盤６１と遊技機前面ユニット２３等の詳細な説明、図示を簡潔な表現にして、遊技盤スライド枠２１０１の構成の説明を中心に説明する。
実施例１の遊技機１０の遊技盤スライド枠２１０１は、遊技機前面ユニット２３の裏面に取り付けた略四角形状になる枠構造体であり、遊技盤６１をスライド移動かつ回動可能に支持する部材である。遊技盤スライド枠２１０１は、例えば金属製の略四角形状の枠体２１０２を有し、この上下位置にそれぞれ略水平方向に伸びるようにガイドレール２１０３を、両ガイドレール２１０３の一端に抜止めレール２１０４を備えた部材である。この抜止めレール２１０４の反対側は開放部になり、遊技盤６１の出入を可能にする。
【００６３】
遊技盤スライド枠２１０１のガイドレール２１０３は、図１１に示すように、遊技機前面ユニット２３の横方向の幅よりやや短い長さを有する。このガイドレール２１０３の長さは、遊技盤６１を支える遊技盤スライド枠２１０１の横方向と同じ程度の長さがあれば十分である。この程度の長さがあれば、遊技盤６１をガイドレール２１０３から引き出した状態で、遊技盤スライド枠２１０１と共に遊技盤６１を展開できる。逆に、遊技機前面ユニット２３の横幅より長くすると、このガイドレール２１０３、即ち遊技盤スライド枠２１０１が遊技機１０内部における他の部材、装置、機構と干渉するおそれがある。
【００６４】
上下の各ガイドレール２１０３は、その長手方向の一側（遊技機前面ユニット２３側）が遊技盤スライド枠２１０１の枠体２１０２に取り付けられている。各ガイドレール２１０３の枠体２１０２への取り付けは、枠体２１０２と一体成形によるものである。但し一体成形に限定されず、ねじ固定、接着剤固定などによるものでもよい。
【００６５】
この図示例による各ガイドレール２１０３の形状は、一例であって横断面形状が上向きのコ字形状の略樋形状のもの、下向きのコ字形状のものに限定されない。遊技盤６１を横方向にスライド移動でき、かつ容易には外れない構造であればよい。例えば、細長い板材の長手方向の略中央に凸条を設け、この凸条に係合するように遊技盤６１の天井部と底部に溝部をそれぞれ形成した構造にすることもできる（図示していない）。
【００６６】
なお、抜止めレール２１０４は、単に遊技盤６１の位置決めとしての機能を有するものであるため、略四角形状の枠体２１０２の一辺より短いものであれば問題ない。図示例では、上下に配置したガイドレール２１０３を抜止めレール２１０４として使用している。同じ部品を上下のガイドレール２１０３に使用し、更に抜止めレール２１０４としてもそれぞれに使用することで遊技機１０全体の製造コストの低減を図ることができる。
【００６７】
図１２は遊技盤６１と遊技盤スライド枠２１０１を示し、（ａ）は全体の平面図、（ｂ）は抜止め部材２１０５の拡大平面図である。
遊技盤６１の天井部に設けた抜止め部材２１０５は、例えば遊技盤６１の天井部に開けた長方形状の開口部２１０６において出没する、上方へコイルばね等の弾性部材により付勢される突起２１０７から成り、常時はこの開口部２１０６から突出した状態にあり、遊技盤スライド枠２１０１のガイドレール２１０３の端縁に当たり、抜け止めとして機能する。この抜止め部材２１０５は、遊技機主部２１が遊技盤スライド枠２１０１即ちガイドレール２１０３間で不用意に移動することを防止するものである。
【００６８】
この抜止め部材２１０５は、この突起２１０７を下方へ押し込み、上側のガイドレール２１０３の下面と同じ位置まで押し下げる。そのまま遊技盤６１を、ガイドレール２１０３間をスライド移動させれば、遊技盤６１を遊技盤スライド枠２１０１から引き出すことができる。
遊技盤６１は、遊技機１０の遊技時には遊技盤スライド枠２１０１内において維持される。遊技機１０の点検、清掃、整備する際に、遊技盤６１を、この遊技盤スライド枠２１０１から水平方向に引き出すように容易にスライド移動させることができる。
【００６９】
なお、この抜止め部材２１０５の構成は、図示例のように、遊技盤６１の天井部に突起２１０７を設けた構成に限定されない。これとは逆の配置になるように、ガイドレール２１０３側に下方へ付勢される突起２１０７を設け、この突起２１０７を遊技盤６１の天井部に開けた嵌合穴に嵌合させて抜け止めの機能を発揮するようにしてもよい（図示していない）。
【００７０】
＜遊技盤スライド枠２１０１のヒンジ部材２１０８の構造＞
遊技盤スライド枠２１０１には、枠体２１０２の抜止めレール２１０４が備えられた側にヒンジ部材２１０８が備えられている。このヒンジ部材２１０８は、例えば遊技機前面ユニット２３から着脱し得るように遊技盤スライド枠２１０１に取り付けた部材である。図１１の図示例では、遊技盤スライド枠２１０１の上下位置にそれぞれ下向きに突出する回動軸２１０９を有するスライド枠支持金具２１１０を取り付けている。一方、遊技機前面ユニット２３には、これらスライド枠支持金具２１１０の回動軸２１０９が着脱自在に差し込める軸孔２１１１が２箇所設けられている。この２箇所に限定されず、３箇所又は４箇所とその数は２箇所以上であれば良い。
【００７１】
ヒンジ部材２１０８が、遊技機前面ユニット２３から着脱し得るように構成したものは、必要に応じて遊技盤スライド枠２１０１と共に遊技盤６１遊技機前面ユニット２３から取り外すことができる。例えば、島から遊技盤６１のみを簡単に外すことができる。従来のように外枠１１から遊技機１０全体を外す必要はない。
【００７２】
なお、このヒンジ部材２１０８の構成は、図示例の遊技盤スライド枠２１０１にスライド枠支持金具２１１０について、遊技機前面ユニット２３に軸孔２１１１を設けた配置を逆にしても良い。例えば、遊技機前面ユニット２３に回動軸を上向きに突出させ、この回動軸に差し込める軸孔を開けたスライド枠支持金具を遊技盤スライド枠２１０１にそれぞれ取り付けた構成にすることも可能である。
【００７３】
また、ヒンジ部材２１０８は、上述したように着脱自在な構造にする必要はない。通常の分離しないスライド枠支持金具を用いることができる。遊技盤スライド枠２１０１を遊技機前面ユニット２３から積極的に取り外す機会が少ない場合に、分離しないスライド枠支持金具を用いる。
【００７４】
＜遊技盤スライド枠２１０１の施錠装置２１１２の構造＞
図１３は遊技盤スライド枠２１０１を遊技機前面ユニット２３の裏面に施錠装置２１１２により固定した状態を示す斜視図である。
遊技盤スライド枠２１０１に、遊技機前面ユニット２３の裏面に遊技盤スライド枠２１０１を着脱自在に掛け止める施錠装置２１１２を取り付けた。この施錠装置２１１２は、遊技盤スライド枠２１０１の開放口側の枠体２１０２に、固定側のスライド枠鉤金具２１１３を形成した。図示例では遊技盤スライド枠２１０１の枠体２１０２の上部と下部その中間の３箇所に遊技機前面ユニット２３に向けて設けられている。これらのスライド枠鉤金具２１１３を掛け止めるスライド枠連動杆２１１４が遊技機前面ユニット２３側に設けられている。このスライド枠連動杆２１１４の上下動の操作により、スライド枠鉤金具２１１３を施錠、解錠するようになっている。このスライド枠鉤金具２１１３は枠体２１０２と一体成形になったものを図示しているが、一体成形のものに限定されない。
【００７５】
図示するように、この遊技盤スライド枠２１０１の施錠装置２１１２は、遊技機前面ユニット２３を遊技機ベースユニット２２に掛け止める施錠装置３１の内側に構成されている。即ち、遊技機ベースユニット２２に掛け止める鉤金具３３に重なるように、スライド枠連動杆２１１４が設けられている。この鉤金具３３は、遊技機ベースユニット２２に設けられた受け金具３４に係止され、施錠装置３１により施錠状態とされるようになっている。
【００７６】
遊技盤スライド枠２１０１に取り付けた施錠装置２１１２は、遊技盤スライド枠２１０１を遊技機前面ユニット２３の裏面において掛け止めることができ、遊技機１０を点検、清掃、整備する際に、遊技盤スライド枠２１０１が揺動することなく遊技機主部２１を水平方向に引き出すようにスライド移動させることができる。施錠装置２１１２を解除すれば、遊技盤６１を水平方向に引き出し、更に遊技盤６１を遊技盤スライド枠２１０１と共に水平方向に回動させることができる。また、施錠状態のときは、遊技機前面ユニット２３を解錠すると、この遊技機前面ユニット２３の開閉に合わせて遊技盤スライド枠２１０１と共に、遊技盤６１も開閉することができる。
【００７７】
遊技盤６１を引き出した状態で、ヒンジ部材２１０８を回動中心にして遊技盤スライド枠２１０１と共に遊技盤６１を水平方向に回動させることができるので、点検、清掃、整備する箇所に合わせて所望の角度に展開させることができる。そこで、遊技機主部２１の遊技盤６１の釘、入賞口などが設けられた盤全面が開放され、従来のように他の部材に干渉、邪魔されることなく遊技盤６１の細部に至るまで点検、清掃、整備することができる。また、遊技機主部２１の各制御装置１０５，１０７，１０８，１２７・・・（各制御ユニット）も遊技機前面ユニット２３の側方へ大きく飛び出しているので、この点検、清掃、整備を容易かつ安全に実施することができる。
【００７８】
＜ストッパ部（嵌合孔２１１５）の変形例＞
図１４は遊技盤スライド枠２１０１にストッパ部（嵌合孔２１１５）を設けた変形例の平面図であり、（ａ）は遊技盤６１を遊技盤スライド枠２１０１の途中で維持している状態、（ｂ）は遊技盤６１を遊技盤スライド枠２１０１の開口まで抜き出した状態である。
遊技盤スライド枠２１０１には、遊技盤６１を略水平方向のスライド途中で停止するようにストッパ部（嵌合孔２１１５）を設けることができる。このストッパ部（嵌合孔２１１５）は、上側ガイドレール２１０３の板材に、嵌合孔２１１５を数箇所設けたものである。図１４の図示例では、上側ガイドレール２１０３の長手方向にその中間位置と開放側の２箇所に開けている。これらの嵌合孔２１１５には、上述した遊技機主部２１例へば遊技盤６１の天井部に設けた出没自在になる抜止め部材２１０５（突起２１０７）が掛け止められる。
【００７９】
先ず、遊技盤６１を半分のみ開放したいときには、図１４（ａ）に示すように、中間の嵌合孔２１１５に抜止め部材２１０５（突起２１０７）を掛け止める。作業が終われば、この抜止め部材２１０５を下に押し込み遊技盤６１を遊技盤スライド枠２１０１のガイドレール２１０３に押し戻す。遊技盤スライド枠２１０１にストッパ部（嵌合孔２１１５）を設けたものは、遊技盤６１を略水平方向の途中で停止することができるので、遊技盤６１の盤面の左半分を引き出し、その状態で点検、清掃、整備の作業を容易に実施できる。
【００８０】
あるいは、図１４（ｂ）に示すように、遊技盤６１を大きく開放したいときには、開放側の嵌合孔２１１５に抜止め部材２１０５を掛け止める。このときは遊技盤６１の盤面を大きく開放することができるので、更に点検、清掃、整備の作業が容易になる。
中間又は開放側の嵌合孔２１１５に抜止め部材２１０５（突起２１０７）を掛け止め、遊技盤６１を維持することにより、作業中に遊技機主部が不用意に移動しないので安全に作業できる。
【００８１】
なお、上述した実施の形態の記載内容に限定されず、例えば次のように実施してもよい。
上記実施の形態では、図柄表示装置を備えたパチンコ機１０に対して本発明を適用したが、それ以外のタイプのパチンコ機に適用してもよい。例えば、遊技球転動部や有利口などが設けられた入賞役物装置を備えたパチンコ機や、他の役物を備えたパチンコ機、アレンジボール機、雀球等の遊技機にも、本発明を適用できる。また、受け皿として上皿及び下皿が設けられているのではなく、単一の受け皿が設けられたパチンコ機にも、本発明を適用できる。
【００８２】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【００８３】
遊技機Ａ
遊技機Ａは、パチンコ、スロットマシンあるいはメダルの代わりに遊技球でスロットマシンの遊技をするパロット等の遊技機に関する。
【００８４】
遊技機の一種としてのパチンコ機では、例えば発射装置が発射した遊技球が打ち出される遊技領域を備えた遊技盤が設けられている。遊技盤は、発射装置から発射された遊技球を遊技領域に案内するためのガイドレール（ガイド部材）と一体に形成されている。このような遊技盤は、定期的に点検、清掃、整備する必要がある。この点検、清掃、整備する際に、前面扉、前枠といった遊技機前面ユニットを開放して遊技盤の盤面を露出させる。
【００８５】
パチンコ機は年々複雑化及び多様化が進んでおり、遊技機前面ユニットの前面に膨出している部分が多くなり、遊技機前面ユニットを大きく開閉しづらくなってきた。そのために、遊技盤の点検、清掃、整備に際して、隣接するパチンコ機と干渉して遊技機前面ユニットを大きく開けられないことがあり、遊技盤の左半分が遊技機前面ユニットの裏面に邪魔されて作業がしづらいといった問題があった。
同様に各制御装置（各制御ユニット）も枠材（外枠）が邪魔して点検、清掃、整備がしづらいことがあった。
【００８６】
例えば特許文献２の特開２００９−７７７８４の「パチンコ機」には、パチンコ機の機種変更などの際に、本体枠から取り外されて仕様の異なるものへと交換される遊技機に関する構成が提案されている。
【００８７】
【特許文献２】特開２００９−７７７８４公報
【００８８】
しかし、特許文献２の「パチンコ機」では、遊技機の遊技盤及びの交換が技術目的であり、簡単な作業により、遊技盤の盤面又は各制御装置（各制御ユニット）を大きく露出させて遊技盤又は各制御装置（各制御ユニット）の点検、清掃、整備することはできないという問題を有していた。
【００８９】
本発明は、上述した問題点等を解決するために創案されたものである。すなわち、本発明の目的は、遊技盤又は各制御装置（各制御ユニット）の点検、清掃、整備を容易かつ安全に実施することができる遊技機を提供することにある。
【００９０】
遊技機Ａ１は、遊技機前面ユニットの裏面において、遊技盤を該遊技機前面ユニットの裏面位置と、該遊技機前面ユニットの外部に張り出す位置との間を略水平方向へスライド移動するように該遊技盤を支持する遊技盤スライド枠と、
前記遊技機前面ユニットに対して、前記遊技盤スライド枠が水平方向へ回動するように、該遊技機前面ユニットと該遊技盤スライド枠に介在させたヒンジ部材と、を備えた、ことを特徴とする遊技機。
【００９１】
遊技機Ａ１の構成では、遊技盤は、遊技機の遊技時には遊技盤スライド枠内において維持される。遊技機の点検、清掃、整備する際に、遊技盤を含む遊技機主部を、この遊技盤スライド枠から水平方向に引き出すように容易にスライド移動させることができる。遊技機主部を引き出した状態で、ヒンジ部材を回動中心にして遊技盤スライド枠と共に遊技機主部を水平方向に回動させることができるので、点検、清掃、整備する箇所に合わせて所望の角度に展開させることができる。そこで、遊技機主部の遊技盤の釘、入賞口などが設けられた盤全面が開放され、従来のように他の部材に干渉、邪魔されることなく遊技盤の細部に至るまで点検、清掃、整備することができる。また、遊技機主部の各制御装置（各制御ユニット）も遊技機前面ユニットの外部に大きく飛び出しているので、この点検、清掃、整備を容易かつ安全に実施することができる。
【００９２】
遊技機Ａ２は、前記遊技盤スライド枠に、前記遊技機前面ユニットの裏面に該遊技盤スライド枠を着脱自在に掛け止める施錠装置を取り付けた、ことを特徴とする遊技機Ａ１の遊技機。
【００９３】
遊技機Ａ２の構成では、遊技盤スライド枠に施錠手段を取り付けたものは、遊技盤スライド枠を遊技機ベースユニットの裏面において掛け止めることができ、点検、清掃、整備する際に、遊技盤スライド枠が揺動することなく遊技機主部を水平方向に引き出すようにスライド移動させることができる。施錠手段を解除すれば、遊技機主部を水平方向に引き出し、更に遊技機主部を遊技盤スライド枠と共に水平方向に回動させることができる。
【００９４】
遊技機Ａ３は、前記遊技盤スライド枠に、前記遊技盤を略水平方向のスライド途中で停止するようにストッパ部材を設けた、ことを特徴とする遊技機Ａ１又はＡ２の遊技機。
遊技機Ａ３の構成では、遊技盤スライド枠にストッパ部材を設けたものは、遊技機主部を略水平方向の途中で停止することができるので、遊技盤の盤面の左半分を引き出し、その状態で点検、清掃、整備の作業を容易に実施できる。このストッパ部材により、作業中に遊技機主部が不用意に移動しないので安全に作業できる。
【００９５】
遊技機Ａ４は、前記ヒンジ部材は、前記遊技機前面ユニットから着脱し得るように前記遊技盤スライド枠に取り付けた部材である、ことを特徴とする遊技機Ａ１、Ａ２又はＡ３の遊技機。
遊技機Ａ４の構成では、ヒンジ部材が、遊技機前面ユニットから着脱し得るように構成したものは、必要に応じて遊技盤スライド枠と共に遊技盤を、遊技機前面ユニットから取り外すことができる。例えば、島から遊技盤のみを簡単に外すことができる。従来のように外枠から遊技機全体を外す必要はない。
【００９６】
因みに、特徴Ａ１乃至特徴Ａ４のいずれか１つ又はそれらの組み合わせを上記特徴Ａ１乃至Ａ４に適用してもよい。
【００９７】
以下に、以上の各特徴を適用し得る遊技機の基本構成を示す。
【００９８】
パチンコ遊技機：遊技者が操作する操作手段（遊技球発射ハンドル）と、その操作手段の操作に基づいて遊技球を発射する遊技球発射手段（遊技球発射機構のソレノイド）と、その発射された遊技球を所定の遊技領域に導く球通路と、遊技領域内に配置された各遊技部品（釘等）とを備え、それら各遊技部品のうち所定の通過部（作動口等）を遊技球が通過した場合に遊技者に特典を付与する遊技機。
【００９９】
遊技機１０、Ａ１〜Ａ４のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１００】
遊技機１０、Ａ１〜Ａ４のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１０１】
遊技機１０、Ａ１〜Ａ４のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１０２】
本発明の遊技機は、主にパチンコ機の遊技機に利用することができるが、遊技盤をスライド移動できる構成であればパチンコ機以外の様々な遊技機に利用することができる。
【符号の説明】
【０１０３】
１０  遊技機としてのパチンコ機
６１  遊技盤
２２  遊技機ベースユニット
２３  遊技機前面ユニット
２１０１  遊技盤スライド枠
２１０２  枠体
２１０３  ガイドレール
２１０４  抜止めレール
２１０５  抜止め部材
２１０６  開口部
２１０７  突起
２１０８  ヒンジ部材
２１０９  回動軸
２１１０  スライド枠支持金具
２１１１  軸孔
２１１２  施錠装置
２１１３  スライド枠鉤金具
２１１４  スライド枠連動杆
２１１５  ストッパ部（嵌合孔）
【図１】
2020114458.tif 000003
【図２】
2020114458.tif 000004
【図３】
2020114458.tif 000005
【図４】
2020114458.tif 000006
【図５】
2020114458.tif 000007
【図６】
2020114458.tif 000008
【図７】
2020114458.tif 000009
【図８】
2020114458.tif 000010
【図９】
2020114458.tif 000011
【図１０】
2020114458.tif 000012
【図１１】
2020114458.tif 000013
【図１２】
2020114458.tif 000014
【図１３】
2020114458.tif 000015
【図１４】
2020114458.tif 000016